(57)【要約】【課題】連写撮影中に被写体が記憶部の残量を確認することができること。【解決手段】撮影された被写体の画像を記憶する外部メモリ２７、外部メモリ２７の残量を検出する外部メモリ残量検出部２９と、連写撮影時に、外部メモリ残量検出部２９により検出された外部メモリ２７の残量に対応する光を少なくとも被写体に対して報知するＬＥＤ部３３とを備えるカメラ１を提供する。【選択図】図４
2009098350.tif 000002
【特許請求の範囲】
【請求項１】
撮影された被写体の画像を記憶する記憶部と、
該記憶部の残量を検出する残量検出部と、
連写撮影時に、前記残量検出部により検出された前記記憶部の残量に対応する残量情報を少なくとも前記被写体に対して報知する報知部と
を備えるカメラ。
【請求項２】
前記残量検出部により検出された前記記憶部の残量が所定の閾値を満たすか否かを判断する判断部を備え、
前記報知部が、前記判断部による判断に基づいて、前記残量情報により前記記憶部の残量不足を被写体に警告する請求項１に記載のカメラ。
【請求項３】
前記報知部が、前記記憶部の残量に応じて定められた光の輝度の変化、光の点滅時間間隔の変化または光の波長の変化のいずれかを残量情報とする請求項１または請求項２に記載のカメラ。
【請求項４】
前記報知部が、前記記憶部の残量に応じて定められた音の音量の変化、音の出力時間間隔の変化または音の周波数の変化を残量情報とする請求項１または請求項２に記載のカメラ。
【請求項５】
前記報知部が、請求項３に記載のいずれかの残量情報と請求項４に記載のいずれかの残量情報とを組み合わせて報知するカメラ。
【発明の詳細な説明】
【技術分野】
【０００１】
本発明は、カメラに関するものである。
【背景技術】
【０００２】
従来、連続撮影の際に、記憶部の残量表示用のＬＣＤを複数のセグメントに分割して、記憶部の残量に応じて表示領域の点灯状態を変化させることにより、撮影者に対して記憶部の残量を知らせるカメラが知られている（特許文献１）。このカメラによれば、記憶部の残量が十分なときは全てのセグメントが点灯され、残量の減少に応じてセグメントが消灯されることにより、撮影者が記憶部の残量を撮影中に把握することができるようになっている。
【０００３】
【特許文献１】特開平８−３３１４９７号公報
【発明の開示】
【発明が解決しようとする課題】
【０００４】
しかしながら、特に連写撮影の場合には、撮影中に記憶部の残量不足が生じる可能性があるところ、セルフタイマや遠隔操作等による撮影のように必ずしも撮影者がカメラを構えて撮影を行うとは限らない。これに対して、特許文献１に開示されているカメラでは、記憶部の残量表示用のＬＣＤがカメラのどの部分に設けられているか不明であり、また、セグメントの点灯領域により残量を確認する手段では、被写体からは的確な見極めが困難であると考えられる。そのため、撮影者がカメラを構えずに撮影を行う場合には、記憶部の残量不足を確認して撮影停止などの迅速な対応を図ることが困難であるという問題があった。
【０００５】
本発明は、このような事情に鑑みてなされたものであって、連写撮影中に被写体が記憶部の残量を確認することができるカメラを提供することを目的とする。
【課題を解決するための手段】
【０００６】
上記課題を解決するために、本発明は以下の手段を採用する。
本発明は、撮影された被写体の画像を記憶する記憶部と、該記憶部の残量を検出する残量検出部と、連写撮影時に、前記残量検出部により検出された前記記憶部の残量に対応する残量情報を少なくとも前記被写体に対して報知する報知部とを備えるカメラを提供する。
【０００７】
本発明によれば、連写撮影時において、報知部により、残量検出部によって検出された記憶部の残量に対応する残量情報が少なくとも被写体に対して報知されるので、被写体は、残量の減少に伴う残量情報の変化を把握することにより連写撮影中に記憶部の残量を知ることができる。したがって、セルフタイマや遠隔操作等により撮影者が被写体として撮影を行う場合であっても、連写撮影中の記憶部の残量不足を確認し易く迅速に対応することができる。
【０００８】
上記発明においては、前記残量検出部により検出された前記記憶部の残量が所定の閾値を満たすか否かを判断する判断部を備え、前記報知部が、前記判断部による判断に基づいて、前記残量情報により前記記憶部の残量不足を被写体に警告することとしてもよい。
このように構成することで、記憶部の残量不足をより効果的に報知させることができる。
【０００９】
また、上記発明においては、前記報知部が、前記記憶部の残量に応じて定められた光の輝度の変化、光の点滅時間間隔の変化または光の波長の変化のいずれかを残量情報とすることとしてもよい。
このように構成することで、残量情報が視覚によって得られるので、被写体が周囲の騒音等に影響されることなく記憶部の残量を把握することができる。
【００１０】
また、上記発明においては、前記報知部が、前記記憶部の残量に応じて定められた音の音量の変化、音の出力時間間隔の変化または音の周波数の変化を残量情報とすることとしてもよい。
このように構成することで、残量情報が聴覚によって得られるので、被写体がカメラから視線を逸らしても記憶部の残量を把握することができる。
【００１１】
また、上記発明においては、前記報知部が、上記発明の光に基づく残量情報のいずれかと上記発明の音に基づく残量情報のいずれかとを組み合わせて報知することとしてもよい。
このように構成することで、光に基づく残量情報と音に基づく残量情報とを独立してそれぞれ報知することができ、被写体が記憶部の残量をより確実に把握することができる。
【発明の効果】
【００１２】
本発明によれば、連写撮影中に被写体が記憶部の残量を確認することができるという効果を奏する。
【発明を実施するための最良の形態】
【００１３】
〔第１の実施形態〕
以下、本発明の第１の実施形態に係るカメラについて、図面を参照して説明する。
本実施形態に係るカメラ１は、図１〜図３に示すように、ユーザが撮影条件の設定等の各種操作を行う操作部３と、略直方体形状に形成されたカメラ本体５と、該カメラ本体５の前面に配置され、外部からの光を集めて被写体の像を結像させるレンズ７と、前記カメラ本体５の背面に設けられ、前記レンズ７により結像された被写体の像や撮影条件等を表示する液晶ファインダ９と、単写撮影モードと連写撮影モードとの切換えを行う撮影モード選択ダイヤル１１と、カメラ本体５の上端面に設けられた電源ボタン１３およびシャッタボタン１５とを備えている。なお、符号１７はフラッシュ（補助光）を発光するストロボを示している。
【００１４】
操作部３は、ユーザにより、液晶ファインダ９上において、連写撮影時のフレームレートの設定や連写撮影枚数の設定を行うために操作されたり、撮影された被写体の画像を記憶する容量の残量情報を複数のモードに分類した発光モードを選択するために操作されたりするようになっている。
【００１５】
ここで、発光モードは、残量情報として光の輝度が変化する発光モードＡ、残量情報として光の点滅時間間隔が変化する発光モードＢおよび残量情報として光の波長が変化する発光モードＣから選択されるようになっている。
【００１６】
カメラ本体５には、図４に示すように、前記シャッタボタン１５の操作状況を判定するシャッタボタン判定部１９と、前記レンズ７によって結像された被写体の像を撮影して画像データを取得するＣＣＤ等の撮像部２１と、該撮像部２１により取得された画像データを記憶するＳＤＲＡＭ等のメモリ２３と、前記撮像部２１により取得された画像データに対して三板化や補正等の画像処理を行う画像処理部２５と、カメラ本体５に接続可能に設けられ、前記画像処理部２５により画像処理された画像データを保存する外部メモリ２７と、該外部メモリ２７の残量を検出する外部メモリ残量検出部２９と、該外部メモリ残量検出部２９により検出された前記外部メモリ２７の残量に対応させた光の発光パターンを残量情報として設定する発光パターン設定部（判断部）３１と、該発光パターン設定部３１により設定された発光パターンの光を出力するＬＥＤ部（報知部）３３とが備えられている。
【００１７】
また、カメラ本体５においては、撮像部２１、メモリ２３、画像処理部２５、外部メモリ２７、外部メモリ残量検出部２９および液晶ファインダ９がシステムバス３５により接続され、システムバス３５を介して画像データの送信が行われるようになっている。
【００１８】
シャッタボタン判定部１９は、シャッタボタン１５の押し込み状態を判定して、シャッタボタン１５が押されている間、撮像部２１および発光パターン設定部３１にシャッタ信号を出力し続けるようになっている。
【００１９】
撮像部２１は、レンズ７を介して被写体からの光を受光して、その受光データをデジタルデータである画像データにＡＤ変換し、ＡＤ変換後の画像データをシステムバス３５を介して画像処理部２５および液晶ファインダ９等に出力するようになっている。
【００２０】
また、撮像部２１は、前記シャッタボタン判定部１９からのシャッタ信号が入力されると、単写撮影モードにおいては、シャッタ信号が入力された時点の画像データを取得し、一方、連写撮影モードにおいては、前記操作部３において予め設定されたフレームレートに基づくタイミングで複数の画像データを取得するようになっている。そして、撮像部２１は、取得した画像データを順次メモリ２３および外部メモリ２７に転送するようになっている。
【００２１】
外部メモリ残量検出部２９は、カメラ本体５に接続されている外部メモリ２７の残量（以下、「メモリ残量」という。）Ｍ（ｂｉｔ）を検出するようになっている。また、外部メモリ残量検出部２９は、画像処理部２５から画像データがシステムバス３５を介して外部メモリ２７へ送られる際に各画像データの容量を読み取り、メモリ残量Ｍを逐次更新するようになっている。
【００２２】
発光パターン設定部３１は、シャッタボタン判定部１９からのシャッタ信号が入力されている間、外部メモリ残量検出部２９において更新されたメモリ残量Ｍを読み取って、前記操作部３において選択された発光モードに基づきメモリ残量Ｍに対応する発光パターンを設定するようになっている。
【００２３】
具体的には、発光パターン設定部３１は、メモリ残量Ｍが警告開始の基準となる所定の閾値より大きい場合には定常的な光、例えば、残量情報が報知される位置を被写体が認識できる程度の光が発光される発光パターンを設定し、一方、メモリ残量Ｍが所定の閾値より小さい場合には、メモリ残量Ｍに対応する光の発光パターンを設定するようになっている。
【００２４】
ここで、所定の閾値（以下、「残量閾値」という。）Ｔｍ（ｂｉｔ）は、発光モードの選択と同様に連写撮影の組ごとに予めユーザにより操作部３において設定されるものであり、例えば、外部メモリ２７の記憶容量の１／５の容量に設定されたり、２／５の容量に設定されたりするようになっている。
【００２５】
したがって、発光パターン設定部３１は、メモリ残量Ｍが残量閾値Ｔｍ以下になると、各発光モードＡ，Ｂ，Ｃに基づきメモリ残量Ｍに応じて光の発光パターンを更新するようになっている。
ＬＥＤ部３３は、発光パターン設定部３１により設定および更新された発光パターンが入力され、外部メモリ２７の残量の減少とともに変化した発光パターンの光を出力するようになっている。
【００２６】
次に、このように構成された本実施形態に係るカメラ１の作用について説明する。
電源ボタン１３をＯＮにしてカメラ１を起動させると、外部メモリ残量検出部２９の作動により、カメラ本体５に接続されている外部メモリ２７のメモリ残量Ｍが検出される。また、レンズ７により撮像部２１の撮像面に結像される被写体の像が撮像部２１によって撮影され、その画像データが撮像部２１からシステムバス３５を介して画像処理部２５へ出力される。
【００２７】
画像処理部２５に入力された画像データは、三板化や補正等の画像処理が行われた後、液晶ファインダ９に送られて連続表示されることにより動きのあるスルー画像として表示される。これにより、ユーザは撮像部２１を介して被写体を液晶ファインダ９に表示される画像によって見ることができる。
【００２８】
単写撮影モードにおいては、この状況でシャッタボタン１５が押されると、シャッタボタン判定部１９からのシャッタ信号が撮像部２１に入力されることにより被写体の画像データが取得される。取得された画像データは、撮像部２１からシステムバス３５を介してメモリ２３に転送されて記憶されるとともに、画像処理部２５に送られて画像処理される。画像処理された画像データは、画像処理部２５から外部メモリ２７に転送されて保存されるとともに、液晶ファインダ９に送られて一時的に表示される。
【００２９】
次に、本実施形態に係るカメラ１の連写撮影時の動作を、図５および図６に示すフローチャート図を用いて詳細に説明する。
撮影モード選択ダイヤル１１が操作されて連写撮影モードが設定され、操作部３が操作されて発光モードＡ、残量閾値Ｔｍ、フレームレートおよび連写撮影枚数等の撮影条件が入力されると、連写撮影モードが開始されて、まずシャッタボタン判定部１９においてシャッタボタン１５が押されたか否かが判定される（ステップＳＡ１）。
【００３０】
ステップＳＡ１において、所定の時間内にシャッタボタン１５が押されない場合には、シャッタボタン判定部１９によりシャッタボタン１５が押されたと判定されず（スタップＳＡ１「ＮＯ」）、連写撮影モードが終了する。一方、所定の時間内にシャッタボタン１５が押されると、シャッタボタン判定部１９によりシャッタボタン１５が押されたと判定され（ステップＳＡ１「ＹＥＳ」）、シャッタボタン判定部１９から撮像部２１および発光パターン設定部３１にシャッタ信号が出力される。
【００３１】
撮像部２１においては、シャッタボタン判定部１９からのシャッタ信号が入力されると、操作部３において設定されたフレームレートに基づいて被写体の像が撮影される。撮像部２１により取得された複数の画像データは、システムバス３５を介して順次メモリ２３へ転送されて記憶される（ステップＳＡ２）。
【００３２】
メモリ２３において記憶された画像データは、さらにシステムバス３５を介して画像処理部２５に送られて三板化や補正等の画像処理が行われる。そして、画像処理後の画像データが画像処理部２５から外部メモリ２７へ転送されて外部メモリ２７に保存される。この場合に、外部メモリ残量検出部２９の作動により、外部メモリ２７に入力される各画像データの容量が検出されて、カメラ１の起動時に検出されたメモリ残量Ｍが更新される（ステップＳＡ３）。
【００３３】
発光パターン設定部３１においては、シャッタボタン判定部１９からのシャッタ信号が入力されると、外部メモリ残量検出部２９により更新されたメモリ残量Ｍが読み取られて、発光パターンの設定が行われる（ステップＳＡ４）。
【００３４】
ここで、発光パターンの設定について、図６のフローチャート図を用いて詳細に説明する。
まず、発光パターン設定部３１においては、操作部３において選択された発光モードＡに基づいて（ステップＳＢＡ１）、外部メモリ残量検出部２９から読み取ったメモリ残量Ｍが残量閾値Ｔｍと比較される（ステップＳＢＡ２）。本実施形態においては、例えば、残量閾値Ｔｍが外部メモリ２７の記憶容量の１／５の容量に設定されているものとする。
【００３５】
発光パターン設定部３１により、メモリ残量Ｍが残量閾値Ｔｍより大きいと判断されると（ステップＳＢＡ２「ＮＯ」）、定常的な光を発光する発光パターンが設定されて（ステップＳＢＡ３）、ＬＥＤ部３３に出力される。一方、メモリ残量Ｍが残量閾値Ｔｍより小さいと判断されると（ステップＳＢＡ２「ＹＥＳ」）、発光モードＡに基づきメモリ残量Ｍに応じた発光強度が算出されて（ステップＳＢＡ４）、発光パターンが設定される。そして、メモリ残量Ｍが減少するにつれて点灯状態の発光パターンから消灯状態の発光パターンへと更新されて順次ＬＥＤ部３３に出力される。
【００３６】
図５のフローチャート図に戻り、ＬＥＤ部３３により、発光パターン設定部３１から入力された発光パターンの光が出力される（ステップＳＡ５）。したがって、ＬＥＤ部３３においては、外部メモリ２７の残量が十分に残っている間は定常的な光が発光され、一方、メモリ残量Ｍが全容量の１／５に満たなくなると光の輝度が高い点灯状態に一旦切替わり、メモリ残量Ｍの減少とともに消灯状態になる。
【００３７】
この場合に、ＬＥＤ部３３が、カメラ本体５の前面側、すなわち、被写体側に設けられているので、例えば、セルフタイマ（図示せず）や遠隔操作により撮影者が被写体として連写撮影を行う場合であっても、ＬＥＤ部３３の輝度の変化を確認することにより外部メモリ２７の残量を把握することができる。
【００３８】
一方、メモリ２３に記憶された画像データは、さらに画像処理部２５に出力されて画像処理され、画像処理部２５から外部メモリ２７へと転送される（ステップＳＡ６）。これにより、外部メモリ２７においては、連写撮影により得られて画像処理された複数の画像データが保存される。また、外部メモリ残量検出部２９においては、外部メモリ２７に入力される画像データの容量が読み込まれて、メモリ残量Ｍが更新される。
【００３９】
また、シャッタボタン判定部１９においては、連写撮影が行われている間、シャッタボタン１５の押し込みが解除されたか否かが判定されている（ステップＳＡ７）。シャッタボタン判定部１９においてシャッタボタン１５が押されていると判定されている間は（ステップＳＡ７「ＮＯ」）、ステップＳＡ２〜ステップＳＡ６の動作が繰り返される。
【００４０】
一方、シャッタボタン１５の押し込みが解除されたと判定されると（ステップＳＡ７「ＹＥＳ」）、シャッタボタン判定部１９から撮像部２１および発光パターン設定部３１へ出力されるシャッタ信号が停止して、発光パターン設定部３１による発光パターンの設定が終了してＬＥＤ部３３が消灯する（ステップＳＡ８）。そして、液晶ファインダ９の表示がスルー画像に切替わり連写撮影モードが終了する。
【００４１】
以上説明してきたように、本実施形態に係るカメラ１によれば、連写撮影時において、ＬＥＤ部３３により、外部メモリ残量検出部２９によって検出されたメモリ残量Ｍに対応する輝度の光が被写体に対して発光されるので、被写体は、メモリ残量Ｍの減少に伴う光の輝度の変化を把握することにより連写撮影中に外部メモリ２７の残量を知ることができる。したがって、セルフタイマや遠隔操作等により撮影者が被写体として撮影を行う場合であっても、連写撮影中の外部メモリ２７の残量不足を確認し易く迅速に対応することができる。また、残量情報が視覚によって得られるので、被写体が周囲の騒音等に影響されることなく外部メモリ２７の残量を把握することができる。
【００４２】
なお、本実施形態においては、発光モードＡの場合を例示して説明したが、例えば、図６のフローチャート図に示されるように、発光モードＢの場合には（ステップＳＢＢ１）、発光パターン設定部３１により、メモリ残量Ｍが残量閾値Ｔｍより小さいと判断されると（ステップＳＢＢ２「ＹＥＳ」）、メモリ残量Ｍに応じた点滅時間間隔が算出されて（ステップＳＢＢ４）、発光パターンが設定される。そして、メモリ残量Ｍが減少するにつれて消灯状態の発光パターンから点滅状態の発光パターンへと更新されて順次ＬＥＤ部３３に出力される。
【００４３】
ＬＥＤ部３３においては、外部メモリ２７のメモリ残量Ｍが全容量の１／５に満たなくなると、定常的な発光状態が一旦消灯して点滅状態に切替わり、メモリ残量Ｍの減少とともに点滅時間間隔が速くなる。これにより、被写体は、メモリ残量Ｍの減少に伴う光の点滅時間間隔の変化を把握することにより連写撮影中に外部メモリ２７の残量を知ることができる。
【００４４】
また、発光モードＣの場合には（図６のステップＳＢＣ１参照）、発光パターン設定部３１により、メモリ残量Ｍが残量閾値Ｔｍより小さいと判断されると（ステップＳＢＣ２「ＹＥＳ」）、メモリ残量Ｍに応じた波長が算出されて（ステップＳＢＣ４）、発光パターンが設定される。そして、メモリ残量Ｍの減少とともに、短波長の発光パターンから長波長の発光パターン、すなわち、青色の光が発光する発光パターンから黄色、赤色の光が発光する発光パターンへと更新されて順次ＬＥＤ部３３に出力される。
【００４５】
ＬＥＤ部３３においては、外部メモリ２７のメモリ残量Ｍが全容量の１／５に満たなくなると、定常的な発光状態が一旦短波長の青色の光に切替わり、メモリ残量Ｍの減少とともに黄色、そして長波長の赤色の光へと変化していく。これにより、被写体は、メモリ残量Ｍの減少に伴う光の色の変化を把握することにより連写撮影中に外部メモリ２７の残量を知ることができる。
【００４６】
また、本実施形態においては、メモリ残量Ｍが残量閾値Ｔｍより大きい場合に定常的な光が発光される発光パターンが設定されて、ＬＥＤ部３３が点灯されることとしたが、これに代えて、メモリ残量Ｍが残量閾値Ｔｍより大きい場合には発光パターンが設定されず、ＬＥＤ部が消灯状態に維持されることとしてもよい。
【００４７】
〔第２の実施形態〕
次に、本発明の第２の実施形態に係るカメラ１０１について説明する。
本実施形態に係るカメラ１０１は、図７および図８に示すように、カメラ本体１０５が発光パターン設定部３１およびＬＥＤ部３３に代えて音声パターン設定部（判断部）１３１およびスピーカ（報知部）１３３を備える点で、第１の実施形態と異なる。
以下、第１の実施形態に係るカメラ１と構成を共通する箇所には、同一符号を付して説明を省略する。
【００４８】
音声パターン設定部１３１は、操作部３において選択された音声モードに基づいて、音声パターンを設定してスピーカ１３３に出力するようになっている。
ここで、音声モードは、残量情報として音の強度が変化する音声モードＤ、残量情報として音の出力時間間隔が変化する音声モードＥおよび残量情報として音の周波数が変化する音声モードＦから選択されるようになっている。
【００４９】
音声パターン設定部１３１は、メモリ残量Ｍが残量閾値Ｔｍより大きい場合には定常的な音、例えば、撮影が行われていることを被写体が認識できる程度の音を出力する音声パターンを設定するようになっている。一方、メモリ残量Ｍが残量閾値Ｔｍより小さい場合には、メモリ残量Ｍに対応する音の音声パターンを設定し、各音声モードＤ，Ｅ，Ｆに基づきメモリ残量Ｍに応じて音声パターンを更新して順次スピーカ１３３に出力するようになっている。これにより、スピーカ１３３からは、外部メモリ２７の残量の減少とともに変化した音声パターンの音が出力されるようになっている。
【００５０】
次に、音声パターン設定部１３１による音声パターンの設定について（図９のステップＳＣ４参照）、音声モードＤの場合を図１０のフローチャート図を用いて説明する。
音声パターン設定部１３１により、メモリ残量Ｍが残量閾値Ｔｍより大きいと判断されると（ステップＳＤＤ２「ＮＯ」）、定常的な音を出力する音声パターンが設定されて（ステップＳＤＤ３）、スピーカ１３３に出力される。一方、メモリ残量Ｍが残量閾値Ｔｍより小さいと判断されると（ステップＳＤＤ２「ＹＥＳ」）、音声モードＤに基づきメモリ残量Ｍに応じた出力強度が算出されて（ステップＳＤＤ４）、音声パターンが設定される。そして、メモリ残量Ｍが減少するにつれて消音状態の音声パターンから大きい音が出力される音声パターンへと更新されて順次スピーカ１３３に出力される。
【００５１】
スピーカ１３３においては、外部メモリ２７のメモリ残量Ｍが全容量の１／５に満たなくなると、定常的な音が出力される状態が消音状態に一旦切替わり、メモリ残量Ｍの減少とともに大きい音が出力される。この場合に、残量情報としての音が被写体に確認されるようにスピーカ１３３から出力されるので、被写体は、メモリ残量Ｍの減少に伴う音の出力強度の変化を把握することにより外部メモリ２７の残量を知ることができる。また、残量情報が聴覚によって得られるので、被写体がカメラ１から視線を逸らしても外部メモリ２７の残量を把握することができる。
【００５２】
なお、本実施形態においては、音声モードＤの場合を例示して説明したが、例えば、１０のフローチャート図に示されるように、音声モードＥの場合には（ステップＳＤＥ１）、音声パターン設定部１３１により、メモリ残量Ｍが残量閾値Ｔｍより小さいと判断されると（ステップＳＤＥ２「ＹＥＳ」）、メモリ残量Ｍに応じた出力時間間隔が算出されて（ステップＳＤＥ４）、音声パターンが設定される。そして、メモリ残量Ｍが減少するにつれて消音状態の音声パターンから出力時間間隔が変化して（断続音）、最終的に連続音が出力される音声パターンへと更新されて順次スピーカ１３３に出力される。
【００５３】
スピーカ１３３においては、外部メモリ２７のメモリ残量Ｍが全容量の１／５に満たなくなると、定常的な音が出力される状態が一旦消音状態に切換わり、メモリ残量Ｍの減少とともに出力時間間隔が速くなって最終的に連続音が出力される。これにより、被写体は、メモリ残量Ｍの減少に伴う音の出力時間間隔の変化を把握することにより外部メモリ２７の残量を知ることができる。
【００５４】
また、例えば、音声モードＦの場合には（図１０のステップＳＤＦ１参照）、音声パターン設定部１３１により、メモリ残量Ｍが残量閾値Ｔｍより小さいと判断されると（ステップＳＤＦ２「ＹＥＳ」）、メモリ残量Ｍに応じた周波数が算出されて（ステップＳＤＦ４）、音声パターンが設定される。そして、メモリ残量Ｍの減少とともに周波数が低い音から高い音の音声が出力される音声パターンへと更新されて順次スピーカ１３３に出力される。
【００５５】
スピーカ１３３においては、外部メモリ２７のメモリ残量Ｍが全容量の１／５に満たなくなると、定常的な音が出力される状態が周波数の低い音が出力される状態に一旦切替わり、メモリ残量Ｍの減少とともに周波数の高い音が出力される。これにより、被写体は、メモリ残量Ｍの減少に伴う音の周波数の変化を把握することにより外部メモリ２７の残量を知ることができる。
【００５６】
また、本実施形態においては、メモリ残量Ｍが残量閾値Ｔｍより大きい場合に定常的な音が出力される音声パターンが設定されて、スピーカ１３３から音が出力されることとしたが、これに代えて、メモリ残量Ｍが残量閾値Ｔｍより大きい場合には音声パターンが設定されず、スピーカ１３３が消音状態に維持されることとしてもよい。
【００５７】
以上、本発明の実施形態について図面を参照して詳述してきたが、具体的な構成はこの実施形態に限られるものではなく、本発明の要旨を逸脱しない範囲の設計変更等も含まれる。
例えば、上記各実施形態においては、それぞれ光による残量情報あるいは音による残量情報として説明してきたが、例えば、カメラ１がＬＥＤ部３３およびスピーカ１３３を備え、光と音の両方により残量情報を報知することとしてもよい。このようにすることで、被写体が外部メモリ２７の残量をより確実に把握することができる。
【図面の簡単な説明】
【００５８】
【図１】本発明の第１の実施形態にカメラを背面から見た概略構成図である。
【図２】図１のカメラを前面から見た概略構成図である。
【図３】図１のカメラを上方から見た概略構成図である。
【図４】図１のカメラの概略構成を示すブロック図である。
【図５】図１のカメラの連写撮影時の動作を示すフローチャート図である。
【図６】図１のカメラの発光パターン設定部による発光パターンの設定動作を詳細に示すフローチャート図である。
【図７】本発明の第２の実施形態に係るカメラを前面から見た概略構成図である。
【図８】図７のカメラの概略構成を示すブロック図である。
【図９】図７のカメラの連写撮影時の動作を示すフローチャート図である。
【図１０】図７のカメラの音声パターン設定部による音声パターンの設定動作を詳細に示すフローチャート図である。
【符号の説明】
【００５９】
１  カメラ
２７  外部メモリ（記憶部）
２９  外部メモリ残量検出部（残量検出部）
３３  ＬＥＤ部（報知部）
【図１】
2009098350.tif 000003
【図２】
2009098350.tif 000004
【図３】
2009098350.tif 000005
【図４】
2009098350.tif 000006
【図５】
2009098350.tif 000007
【図６】
2009098350.tif 000008
【図７】
2009098350.tif 000009
【図８】
2009098350.tif 000010
【図９】
2009098350.tif 000011
【図１０】
2009098350.tif 000012